(57)【要約】【課題】光学レンズを安定して光軸方向に摺動することができ、且つ耐久性に優れた、光ピックアップ装置の球面収差補正を目的とした光学レンズ駆動装置を提供すること。【解決手段】モータと、当該モータの駆動力を受けて摺動軸と摺動自在に係合する、光学レンズを保持したレンズホルダとを備え、レンズホルダと摺動軸とが、レンズホルダに設けた軸孔を介して係合されてなり、レンズホルダの一部に、摺動軸を露出させる凹部を設け、当該凹部の内部に、潤滑油を含有した油吸収体を配設する。【選択図】図１
2008192216.tif 000002
【特許請求の範囲】
【請求項１】
モータと、当該モータの駆動力を受けてレンズホルダ摺動軸と摺動自在に係合する、光学レンズを保持したレンズホルダと、を備え
前記レンズホルダと前記レンズホルダ摺動軸とは、前記レンズホルダに設けた軸孔を介して係合されてなり、
前記レンズホルダの一部に、前記レンズホルダ摺動軸を露出させる凹部を設け、当該凹部の内部に、潤滑油を含有した油吸収体を配設した
ことを特徴とする光学レンズ駆動装置。
【請求項２】
前記凹部は、前記レンズホルダに設けられた前記軸孔の形成方向に沿って、複数個設けられている
ことを特徴とする請求項１に記載の光学レンズ駆動装置。
【請求項３】
請求項１または２に記載の光学レンズ駆動装置を、レーザ光源と対物レンズを含む光学系の光路中に配した
ことを特徴とする光ピックアップ装置。
【発明の詳細な説明】
【技術分野】
【０００１】
本発明は、光学レンズを光軸方向に摺動させる光学レンズ駆動装置と、それを用いた光ピックアップ装置に関するものである。
【背景技術】
【０００２】
従来から、ＤＶＤ等の光ディスクの再生又は記録を行う光ディスク装置に搭載される光ピックアップは、種々の要因により発生する波面収差の影響を受けて性能が劣化することが問題となっている。この波面収差には光ディスクのチルト角等に起因するコマ収差や、光ディスクのカバー層の厚み誤差や情報記録面の多層化に伴う球面収差、及び光学系に起因する非点収差などが存在する。これらの収差の中で特に前述の球面収差は光ディスクの記録密度が高密度化するに伴って影響が大きくなり、この球面収差を補正する技術が、今後の光ディスクの高密度化を実現する重要な要素の一つになっている。
【０００３】
この球面収差を補正するために、光学レンズを光軸方向に摺動させて球面収差を打ち消す手段を備えた光ピックアップ装置が開示されている（たとえば特許文献１参照）。この光ピックアップ装置は、光源と、光源からの光ビームを情報記録媒体の記録層に集光させる対物レンズと、光源と対物レンズの間に球面収差補正用の光学レンズを配置し、この光学レンズを光軸方向に摺動させる光学レンズ駆動装置を備えて球面収差を打ち消し、高密度の光ディスクに対応している。
【０００４】
特許文献１に記載された光ピックアップ装置における光学レンズ駆動装置の構成は、光学レンズを保持したレンズホルダに摺動受け部が設けられ、この摺動受け部と支持基板に設けられた２本のレンズホルダ摺動軸が係合している。また、レンズホルダに設けられたラックと、駆動手段であるモータに設けられた歯車とが係合している。そして、駆動手段であるモータによって歯車が回転すると、歯車に従動してラックが駆動され、その結果、２本のレンズホルダ摺動軸に係合している摺動受け部が摺動することによって、光学レンズが２本のレンズホルダ摺動軸に沿って移動する。
【０００５】
この様に構成された光学レンズ駆動装置は、光学レンズの光軸方向に光学レンズを摺動する機構を備えており、光ピックアップ装置の光源と対物レンズの間に配置されることで球面収差を打ち消す作用を有するものとなる。
【０００６】
【特許文献１】特開２００２−３１２９７１号公報（第８−９頁、第３図）
【発明の開示】
【発明が解決しようとする課題】
【０００７】
特許文献１の光ピックアップ装置における光学レンズ駆動装置は、球面収差補正装置として、レンズホルダに保持された光学レンズを光軸に沿って精度良く摺動させる必要があり、レンズホルダの構成としては、レンズホルダ摺動軸に係合する摺動受け部の長さをある程度長く設けなければいけない。
【０００８】
しかし、レンズホルダに保持された光学レンズを精度よく摺動させるために、レンズホルダ摺動軸に係合する摺動受け部のレンズホルダ摺動軸方向の長さを長くすると、この摺動受け部とレンズホルダ摺動軸との軸受け部での摩擦が増加し、また、摺動受け部の内部への給油が困難となるため、摺動性が悪くなって光学レンズの動作が不安定になり、球面収差補正が正しく行われなくなるという問題が発生する。
【０００９】
本発明の目的は上記課題を解決し、光学レンズを安定して光軸方向に摺動することができ、且つ耐久性に優れた、光ピックアップ装置の球面収差補正を目的とした光学レンズ駆動装置およびそれを搭載した光ピックアップ装置を提供することにある。
【課題を解決するための手段】
【００１０】
上記課題を解決するために、本発明の光学レンズ駆動装置は、基本的には下記記載の構成を採用する。
【００１１】
本発明の光学レンズ駆動装置は、モータと、当該モータの駆動力を受けてレンズホルダ摺動軸と摺動自在に係合する、光学レンズを保持したレンズホルダとを備え、レンズホルダとレンズホルダ摺動軸とが、レンズホルダに設けた軸孔を介して係合されてなり、レンズホルダの一部に、レンズホルダ摺動軸を露出させる凹部を設け、当該凹部の内部に、潤滑油を含有した油吸収体を配設したことを特徴とするものである。
【００１２】
このようにレンズホルダにレンズホルダ摺動軸を露出させる凹部を設け、潤滑油を含有した油吸収体を配置したので、常に油吸収体からレンズホルダ摺動軸へと潤滑油が供給され、潤滑油の不足を防ぐことができ、レンズホルダ摺動軸と摺動受け部との摩擦の増大を防ぐことができる。
【００１３】
また、本発明の光学レンズ駆動装置における前述した凹部は、レンズホルダに設けられた軸孔の形成方向に沿って、複数個設けられていることを特徴とするものである。
【００１４】
このことにより、摺動受け部を長く設けても軸受け部の負担を増加することがなく、しかも、この摺動受け部に設けた凹部内に埃が入りにくい構造とすることができる。
【００１５】
また、本発明の光ピックアップ装置は、本発明の光学レンズ駆動装置をレーザ光源と対物レンズを含む光学系の光路中に備えたことを特徴とするものである。
【００１６】
この様に構成された光ピックアップ装置は、常に安定して球面収差を補正することができる様になるので、特に、Ｂｌｕ−ｒａｙディスク等の高密度光ディスクや多層記録光ディスクの再生／記録に好適となる。
【発明の効果】
【００１７】
上記の如く本発明によれば、レンズホルダにレンズホルダ摺動軸を露出させる凹部を設け、この凹部に潤滑油を含有した油吸収体を配置したので、レンズホルダ摺動軸に沿って摺動受け部を繰り返し摺動させても、常に油吸収体からレンズホルダ摺動軸へと潤滑油が供給され、潤滑油の不足を防ぐことができ、レンズホルダ摺動軸と摺動受け部との摩擦の増大を防ぐことができる。
【発明を実施するための最良の形態】
【００１８】
本発明の光学レンズ駆動装置は、従来技術で説明をした、摺動受け部とレンズホルダ摺動軸との係合を、光学レンズの両側で支持する構成（以下、光学レンズ両持ち構造と記す。）と、当該光学レンズの片側を支持する構造（以下、光学レンズ片持ち構造と記す。）の両方に適用できるものであるが、以下の説明では、光学レンズ片持ち構造について説明をする。なお、上記光学レンズ両持ち構造と光学レンズ片持ち構造とは、基本的には光ピックアップ装置において同じ機能を有するものであり、光ピックアップ装置における載置が許されるサイズによって選択されるものである。
【００１９】
以下、図面により本発明の実施の形態を詳述する。図１は、本発明の実施例１の光学レンズ駆動装置の概略を示す斜視図である。図２は、図１に示した光学レンズ駆動装置に搭
載する油吸収体の変形例を示す斜視図である。図３は、本発明の実施例２の光学レンズ駆動装置の概略を示す斜視図である。図４は、本発明の光学レンズ駆動装置を搭載する光ピックアップ装置の構成例を示すブロック図である。図５は、本発明の光学レンズ駆動装置を搭載する光ピックアップ装置の他の構成例を示すブロック図である。
【実施例１】
【００２０】
まず、本発明の光学レンズ駆動装置の実施例１の構成を図１に基づいて説明する。
実施例１の光学レンズ駆動装置の特徴は、図１に示すように、レンズホルダの摺動受け部にレンズホル摺動軸を露出させる凹部を設け、この凹部に潤滑油を含んだ油吸収体を有していることにある。図１において１は光学レンズ駆動装置である。２は光学レンズ駆動装置１の主な部品を配設し搭載する支持基板である。この支持基板２の一部は、直角に立ち上がった支持壁２ａ〜２ｄを有している。レンズホルダ４は、光学レンズ３を支持するレンズ支持部４ａ、レンズホルダ摺動軸３２ａと係合している摺動受け部４ｂとラック部４ｃとガイド軸受け部４ｄとを有している。また、摺動受け部４ｂには凹部４ｅが設けてあり、凹部４ｅには潤滑油を含んだ油吸収体３０が配置されている。
【００２１】
１０は駆動手段であるステップモータであり、支持基板２に固着されている。１１はステップモータ１０によって回転駆動される回転出力歯車である。回転出力歯車１１がレンズホルダ４と一体となっているラック部４ｃと歯合することで回転出力歯車１１の回転運動を直線運動に変換する。
【００２２】
３２ａ、３２ｂは２つのレンズホルダ摺動軸であり、光学レンズ３の光軸５と平行になるように支持基板２に固定される。摺動受け部４ｂとガイド軸受け部４ｄはそれぞれこの２つのレンズホルダ摺動軸３２ａ、３２ｂと摺動自在に係合し、回転出力歯車１１からの駆動力によってラック部４ｃが移動すると、一体となっているレンズホルダ４とレンズホルダ４に支持される光学レンズ３は、結合するレンズホルダ摺動軸３２ａ、３２ｂにガイドされて光軸５に沿って矢印Ａの方向に移動する。
【００２３】
次に、本発明の光学レンズ駆動装置１の特徴部分である摺動受け部４ｂの詳細について説明する。
本発明の光学レンズ駆動装置１は、摺動受け部４ｂとレンズホルダ摺動軸３２ａとが係合する箇所に、レンズホルダ摺動軸３２ａが露出する凹部４ｅを設けている。ここで示す凹部４ｅは貫通孔であり、凹部４ｅとレンズホルダ摺動軸３２ａとの間に十分潤滑油を含ませた２つの油吸収体３０をレンズホルダ摺動軸３２ａに接触するように配置している。油吸収体３０は、潤滑油を吸収保持する機能を備えており、柔軟性を有するものとすることが肝要である。
【００２４】
上記の構成とすることにより、例え摺動精度を上げるために摺動受け部４ｂを、光軸５方向に長く設けたとしても、常に油吸収体３０からレンズホルダ摺動軸３２ａへと潤滑油が供給されるため、摺動受け部４ｂとレンズホルダ摺動軸３２ａとの間の摩擦が緩和されて、両部材の摺動特性を向上させることができる。そのため、摺動特性が損なわれずに安定して駆動する光学レンズ駆動装置１を提供することができる。
【００２５】
次に、油吸収体３０の変形例を図２に基づいて説明する。
ここで示す変形例は、油吸収体３０の構成のみが異なっており、他の構成は同じである。従って、以下の説明は、油吸収体３０の変形構成例について主に説明をし、他の要件の説明は、図１に示した光学レンズ駆動装置の構成を引用して説明する。
図１、図２に示すように、本変形例における油吸収体３０は、レンズホルダ摺動軸３２ａを通すための貫通孔３０ａが設けた構成となっている。そして、レンズホルダ摺動軸３２ａをこの貫通孔３０ａに通し、レンズホルダ摺動軸３２ａと油吸収体３０を接触させる
ことで潤滑油を供給する。
【００２６】
この様に構成することにより、前述した構成と同様に、摺動受け部４ｂを長く設けても摺動性を損なわない光学レンズ装置１を提供することができる。また、図１に示した２つの油吸収体３０を配置するときに比べて、油吸収体の部品点数が減り、レンズホルダ摺動軸３２ａ全面から給油することができる。したがって、本変形例を適用すれば、図１に示した構成に比べて、より効率良くレンズホルダ４を光軸５方向に移動できる光学レンズ装置１とすることができる。
【００２７】
以上のように摺動受け部４ｂに凹部４ｅを設け、その凹部４ｅに、レンズホルダ摺動軸３２ａと接触させて油吸収体３０を配置することで、光学レンズ駆動の精度を上げるために摺動受け部４ｂを長く設けたとしても、摺動特性を損なわない光学レンズ駆動装置１とすることができる。
【００２８】
なお、実施例１では、光学レンズ片持ち構造とした場合について述べたが、光学レンズ両持ち構造としても同様な効果が得られる。また、摺動受け部４ｂに設ける凹部４ｅを貫通孔としたが、貫通孔でなくてもよい。貫通孔でない場合には、凹部４ｅが器の様になり、潤滑油、あるいは油吸収体３０自体が落下してしまうことがなくなるので、摺動受け部４ｂに潤滑油をより長く留めることができる。
【実施例２】
【００２９】
次に、本発明の光学レンズ駆動装置の他の構成例を図３に基づいて説明する。
実施例２の光学レンズ駆動装置１は、実施例１で示した摺動受け部に凹部４ｅを２つ設け、それぞれの凹部４ｅに油吸収体３０を配置することを特徴とするものである。尚、実施例１で示した光学レンズ駆動装置と同一要素には同一番号を付け、重複する説明は省略する。
【００３０】
図３における、１は本実施例の光学レンズ駆動装置の他の構成例を示している。ここで、光学レンズ駆動装置１は、基本的には実施例１で示した光学レンズ駆動装置（図１参照）と同様であり、実施例１で示した光学レンズ駆動装置と異なる点は、摺動受け部４ｂに設ける凹部４ｅを、軸孔の形成方向に沿って複数個設け、各々の凹部４ｅのそれぞれに油吸収体３０を配した点のみである。
【００３１】
このように構成すれば、実施例１と同様に、摺動受け部４ｂを長くしても摺動特性を損なわない光学レンズ駆動装置１を提供することができる。
【００３２】
また、摺動安定性を増すために摺動受け部４ｂをより長く設けると、レンズホルダ摺動軸３２ａと係合している軸受け部間の距離も長くなってしまう。また、この軸受け部間の距離を長くした摺動受け部４ｂに凹部４ｅを広い面積にわたって設けると、軸受けしている箇所に局所的に荷重がかかってしまう上、外部から侵入する埃などのごみもこの凹部内に侵入しやすくなる。そこで、摺動受け部４ｂに凹部４ｅを複数個設けて、レンズホルダ摺動軸３２ａと摺動受け部４ｂとの軸受けの支持点を増やし、軸受け部４ｂへの負担を軽減させる構成とすれば、高精度に光学レンズ３を光軸５方向に摺動することができるのである。
【００３３】
また、本図に示す様に、複数個の凹部４ｅを設けることで、一つ一つの凹部４ｅの面積を小さく出来るため、外部から侵入する埃などのごみの混入がし難い光学レンズ装置１とすることが出来る。
【実施例３】
【００３４】
次に、本発明の光ピックアップ装置の全体構成の概略を図４のブロック図に基づいて説明する。
図４において、６０は本発明の光ピックアップ装置であり、その内部に実施例１および実施例２で示した光学レンズ駆動装置１がレーザ光源と対物レンズを含む光学系の光路中に組み込んだ構成としている。また、光ピックアップ装置６０の内部には、３つのレーザ光源４１ａ、４１ｂ、４１ｃが備えられている。
【００３５】
ここで、レーザ光源４１ａは、例えば、波長λ＝４０５ｎｍのレーザ光である光ビーム４２ａを発し、Ｂｌｕ−ｒａｙディスク等の高密度光ディスクに対応する。レーザ光源４１ｂは、例えば、波長λ＝７８５ｎｍのレーザ光である光ビーム４２ｂを発し、ＣＤ等の光ディスクに対応する。レーザ光源４１ｃは、例えば、波長λ＝６６０ｎｍのレーザ光である光ビーム４２ｃを発し、ＤＶＤ等の光ディスクに対応する。
【００３６】
また、４３ａ、４３ｂはプリズムであり、レーザ光源４１ａの光路上に配置され、プリズム４３ａは、レーザ光源４１ｂからの光ビーム４２ｂを入射して光路を９０度変更する。また、プリズム４３ｂは、レーザ光源４１ｃからの光ビーム４２ｃを入射して光路を９０度変更する。これにより、光ビーム４２ｂ、４２ｃの光路は、光ビーム４２ａの光路と一致する。４４は偏向ビームスプリッタ（以下、ＰＢＳと略す）であり、光ビーム４２ａ、４２ｂ、４２ｃを通過して、後述する反射光の光路を９０度変更する。
【００３７】
また、４５はλ／４位相差板であり、４６は対物レンズであり、共に光ビーム４２ａ〜４２ｃの光路中に配置される。そして、本発明の光学レンズ駆動装置１は、３つのレーザ光源４１ａ、４１ｂ、４１ｃと対物レンズ４６を含む光学系の光路中に備えられて球面収差補正を行う。すなわち、光学レンズ駆動装置１の光学レンズ３は、光ビーム４２ａ〜４２ｃの光路中に置かれ、駆動ＩＣ６２からのモータ駆動信号Ｍ１がステップモータ１０に供給され、ステップモータ１０は、摺動機構（図１のラック４ｃなど）を介して光学レンズ３を移動する。
【００３８】
また、液晶素子７１は、光学レンズ駆動装置１とλ／４位相差板４５の間に配設され、駆動ＩＣ６２からの液晶駆動信号Ｏ１が液晶素子７１に供給されて収差補正を行う。尚、駆動ＩＣ６２は外部から制御信号Ｃ１を入力してステップモータ１０と液晶素子７１の制御を実行する。
【００３９】
また、４７は情報の再生又は記録が可能な光ディスクであり、対物レンズ４６によって集光された光ビーム４２ａ〜４２ｃが照射され、反射光４２ｄが反射される。４８は集光レンズであり、ＰＢＳ４４によって光路が９０度変更された反射光４２ｄの光路中に配置される。４９は光検出器であって、集光レンズ４８からの反射光４２ｄを入射して電気信号に変換する。
【００４０】
次に、図４に基づいて本発明の光ピックアップ装置６０の作用を説明する。
尚、光ピックアップ装置６０に搭載される本発明の光学レンズ駆動装置１に関連する重複する説明は一部省略する。また説明の前提として、Ｂｌｕ−ｒａｙディスク等の高密度光ディスクを再生する場合を想定して説明する。
【００４１】
図４において、レーザ光源４１ａから４０５ｎｍの光ビーム４２ａが発せられると、光ビーム４２ａは、２つのプリズム４３ａ、４３ｂとＰＢＳ４４を通過し、更に光学レンズ駆動装置１の光学レンズ３と液晶素子７１を通過する。
【００４２】
そして、光ビーム４２ａはλ／４位相差板４５と対物レンズ４６を通過し、対物レンズ４６によって集光されてＢｌｕ−ｒａｙディスク等の高密度光ディスク４７の情報記録面
に照射される。光ディスク４７に照射された光ビーム４２ａは、光ディスク４７の情報記録面で反射して反射光４２ｄとなって再び対物レンズ４６とλ／４位相差板４５を通過する。λ／４位相差板４５を通過した反射光４２ｄは、再び液晶素子７１と光学レンズ駆動装置１の光学レンズ３を通過してＰＢＳ４４に入射する。
【００４３】
ＰＢＳ４４に入射した反射光４２ｄは、ＰＢＳ４４で光路が９０度変更されて集光レンズ４８によって集光されて光検出器４９に入射する。光検出器４９は、反射光４２ｄの強弱を電気信号に変換し、図示しないが光検出信号を外部のコントローラに送り、光ディスク４７に記録された情報を再生する。また、光検出信号を入力するコントローラは、光ビーム４２ａとその反射光４２ｄの収差を補正するために、駆動ＩＣ６２に制御信号Ｃ１を出力し、光学レンズ駆動装置１のステップモータ１０と、液晶素子７１とをそれぞれ制御して光路中で発生する収差を補正し、最適な反射光４２ｄを得る。
【００４４】
ここで、光学レンズ駆動装置１は、駆動ＩＣ６２からのモータ駆動信号Ｍ１によってステップモータ１０を駆動し、光学レンズ３は、図１、図２に示した摺動受け部４ｂ、ガイド軸受け部４ｄを含む摺動機構によって矢印Ａの方向に移動し、対物レンズ４６との距離を変化させることにより、光ディスク４７のカバー層の厚み誤差等による球面収差を補正する。特に、Ｂｌｕ−ｒａｙディスク等の高密度光ディスクの再生／記録では、この球面収差が性能に大きく影響するので、球面収差補正は重要である。
【００４５】
また、液晶素子７１を、光学レンズ駆動装置１とλ／４位相差板４５の間に備えることにより、球面収差の補正を行ったり、光ディスク４７のチルト角等に起因するコマ収差や光学系に起因する非点収差等の補正を行う。
【００４６】
このように、本発明の光ピックアップ装置６０は、実施例１、２に示した光学レンズ駆動装置１を組み込むことにより、液晶素子７１と共に機能して光ビームの複数の収差を一括して補正することが出来るので、特に、Ｂｌｕ−ｒａｙディスク等の高密度光ディスクや多層記録光ディスクの再生／記録に好適である。
【００４７】
尚、ＣＤ等の光ディスクに対応するレーザ光源４１ｂとＤＶＤ等の光ディスクに対応するレーザ光源４１ｃがそれぞれ発する光ビーム４２ｂ、４２ｃは、それぞれの光路上にあるプリズム４３ａ、４３ｂで光路が９０度変更され、その後の光路は光ビーム４２ａと同じ光路を通り、作用は基本的に同じであるので、以降の説明は省略する。
【００４８】
以上のように本発明の光ピックアップ装置６０は、光学レンズ駆動装置１によって球面収差補正を行い、また、液晶素子７１によってコマ収差や非点収差等の補正を行うことが出来るので、高精度な収差補正を必要とする高密度光ディスクの記録・再生に好適な光ピックアップ装置６０を提供することができる。
【実施例４】
【００４９】
次に、図５に基づいて本発明の光ピックアップ装置の全体構成の概略を説明する。
ここで、本実施例の光ピックアップ装置５０の特徴は、搭載される光学レンズ駆動装置１の球面収差補正のための光学レンズが２つで構成されている点である。尚、実施例３と同一要素には同一番号を付し、重複する説明は省略する。
【００５０】
図５において、５０は本発明の光ピックアップ装置であり、その内部に実施例１および実施例２で示した光学レンズ駆動装置１が組み込まれている。光学レンズ駆動装置１は、実施例１、２で示した光学レンズ駆動装置１と基本的に同じであるが、２つの光学レンズを有し、そのうちの一つの光学レンズがステップモータによって移動される点が異なる。
【００５１】
ここで、光ピックアップ装置５０の内部には、レーザ光源４１ａが備えられている。レーザ光源４１ａは、例えば、波長λ＝４０５ｎｍのレーザ光である光ビーム４２ａを発し、Ｂｌｕ−ｒａｙディスク等の高密度光ディスクに対応する。
【００５２】
また、光ビーム４２ａの光路上には、コリメータレンズ５１とＰＢＳ４４と液晶素子７１とλ／４位相差板４５と対物レンズ４６が配置される。そして、光学レンズ駆動装置１は、ＰＢＳ４４とλ／４位相差板４５の間に置かれ、光学レンズ駆動装置１の２つの光学レンズとしての凹レンズ８１と凸レンズ８２が、光ビーム４２ａの光路上に配置されている。
【００５３】
また、光学レンズ駆動装置１を制御する駆動ＩＣ６２は、実施例３と同様に、制御信号Ｃ１を入力し、液晶駆動信号Ｏ１を出力して液晶素子７１を駆動し、また、モータ駆動信号Ｍ１を出力してステップモータ１０を駆動し、凹レンズ８１を矢印Ａの方向に移動する。他の構成は、実施例３と同様であるので説明は省略する。尚、実施例４では、実施例３の構成要素であるレーザ光源４１ｂ、４１ｃ等は省略している。
【００５４】
次に、図５に基づいて本発明の光ピックアップ装置５０の作用を説明する。尚、説明の前提として、Ｂｌｕ−ｒａｙディスク等の高密度光ディスクを再生する場合を想定して説明する。
【００５５】
図５において、レーザ光源４１ａから４０５ｎｍの光ビーム４２ａが発せられると、光ビーム４２ａは、コリメータレンズ５１とＰＢＳ４４を通過し、更に、光学レンズ駆動装置１の凹レンズ８１と凸レンズ８２、及び液晶素子７１を通過する。
【００５６】
そして、液晶素子７１から出射した光ビーム４２ａは、λ／４位相差板４５と対物レンズ４６を通過し、対物レンズ４６によって集光されてＢｌｕ−ｒａｙディスク等の高密度光ディスク４７の情報記録面に照射される。光ディスク４７に照射された光ビーム４２ａは、光ディスク４７の情報記録面で反射して反射光４２ｄとなって再び対物レンズ４６とλ／４位相差板４５を通過する。λ／４位相差板４５を通過した反射光４２ｄは、再び液晶素子７１と光学レンズ駆動装置１の凸レンズ８２と凹レンズ８１を通過し、ＰＢＳ４４に入射する。
【００５７】
そして、ＰＢＳ４４に入射した反射光４２ｄは、ＰＢＳ４４で光路が９０度変更されて集光レンズ４８によって集光されて光検出器４９に入射する。光検出器４９は、反射光４２ｄの強弱を電気信号に変換し、図示しないが、光検出信号を外部のコントローラに送り、光ディスク４７に記録された情報を再生する。また、光検出信号を入力するコントローラは、光ビーム４２ａとその反射光４２ｄの収差を補正するために光学レンズ駆動装置１に制御信号Ｃ１を出力し、ステップモータ１０と液晶素子７１を制御して収差を補正し、最適な反射光４２ｄを得る。
【００５８】
このように、実施例４の光ピックアップ装置５０は、光学レンズ駆動装置１を搭載し、２つの光学レンズのうち、凹レンズ８１を移動することによって光ビームの球面収差を補正することが出来る。また、本実施例の光ピックアップ装置５０は、球面収差補正を２つの光学レンズによって行うので、球面収差を高精度に行うことが出来る。尚、光学レンズ駆動装置１によって移動する光学レンズは、凸レンズ８２でも良く、また、凹レンズ８１と凸レンズ８２の両方でも良い。
【００５９】
以上のように、本発明の実施例４の光ピックアップ装置５０は、実施例３の光ピックアップ装置６０と同様な機能を備え、高密度光ディスクの記録・再生に好適である。尚、本発明の実施例で示した斜視図やブロック図は、この構成に限定されるものではなく、本発
明の要旨を満たすものであれば、どのような構成であっても良い。
【図面の簡単な説明】
【００６０】
【図１】本発明の実施例１に係わる光学レンズ駆動装置の概略を示す斜視図である。
【図２】本発明の実施例１に係わる光学レンズ駆動装置に搭載される油吸収体の変形例である。
【図３】本発明の実施例２に係わる光学レンズ駆動装置の概略を示す斜視図である。
【図４】本発明の実施例３に係わる光学レンズ駆動装置を搭載した光ピックアップ装置の構成を示すブロック図である。
【図５】本発明の実施例４に係わる光学レンズ駆動装置を搭載した光ピックアップ装置の構成を示すブロック図である。
【符号の説明】
【００６１】
１  光学レンズ駆動装置
２  支持基板
２ａ〜２ｄ  支持壁
３  光学レンズ
４  レンズホルダ
４ａ  レンズ支持部
４ｂ  摺動受け部
４ｃ  ラック部
４ｄ  ガイド軸受け部
４ｅ  凹部
５  光軸
１０  ステップモータ
１１  回転出力歯車
３０  油吸収体
３２ａ、３２ｂ  レンズホルダ摺動軸
４１ａ、４１ｂ、４１ｃ  レーザ光源
４２ａ、４２ｂ、４２ｃ  光ビーム
４２ｄ  反射光
４３ａ、４３ｂ  プリズム
４４  偏向ビームスプリッタ（ＰＢＳ）
４５  λ／４位相差板
４６  対物レンズ
４７  光ディスク
４８  集光レンズ
４９  光検出器
５０、６０  光ピックアップ装置
６２  駆動ＩＣ
７１  液晶素子
８１  凹レンズ
８２  凸レンズ
Ｃ１  制御信号
Ｍ１  モータ駆動信号
Ｏ１  液晶駆動信号
【図１】
2008192216.tif 000003
【図２】
2008192216.tif 000004
【図３】
2008192216.tif 000005
【図４】
2008192216.tif 000006
【図５】
2008192216.tif 000007